(57)【要約】【課題】  折り目とり及び折り目つけの双方が可能であると共に取り扱いが容易で、しかも小型軽量であるハンドタイプの折り目とり兼折り目つけ具を提供すること。【解決手段】  ハンド部２を有するフレーム１に、進行方向の前方の凹状案内ロール３と後方の凸状矯正ロール４をそれぞれ回転可能に軸支し、凹状案内ロール３は、回転軸線ｂ回りのロール面部３ａ中央に環状の案内凹部３ｂを有し、凸状矯正ロール４は、回転軸線ｂ回りのロール面部４ａ中央に環状の矯正凸部４ｂを有し、この凹状案内ロール３と凸状矯正ロール４は、それぞれの回転軸線ｂが進行方向ａと直交する前後平行状で、案内凹部３ｂと矯正凸部４ｂが進行方向ａの軌道ｃ上に一致している。【選択図】  図３
0003115409.tif 000002
【実用新案登録請求の範囲】
【請求項１】
ハンド部を有するフレームに、進行方向の前方の凹状案内ロールと後方の凸状矯正ロールをそれぞれ回転可能に軸支し、前記凹状案内ロールは、回転軸線回りのロール面部中央に環状の案内凹部を有し、前記凸状矯正ロールは、回転軸線回りのロール面部中央に環状の矯正凸部を有し、この凹状案内ロールと凸状矯正ロールは、それぞれの回転軸線が進行方向と直交する前後平行状で、案内凹部と矯正凸部が進行方向の軌道上に一致していることを特徴とする折り目とり兼折り目つけ具。
【考案の詳細な説明】
【技術分野】
【０００１】
本考案は、折り目がある対象物たとえば新聞等の折り目をとるのに有用な折り目とり具であると同時に対象物に折り目をつけるのにも有用である折り目つけ具を兼ねる折り目とり兼折り目つけ具に関する。
【背景技術】
【０００２】
特許文献１に記載されている通帳折りぐせ除去機構がある。これの構成は、開いた状態で搬送されて処理される通帳のセンターフォールド部の折ぐせを除去する機構であって、直線状で且つ通帳搬送方向に対して直角な周端縁を有し、開いた通帳をその両面から挟持するようにガイドする手段と、そのガイド手段に沿って通帳を挟持圧送する手段と、その挟持圧送手段により搬送される通帳の通過を検知する手段と、上記ガイド手段の終端縁に併設され、その終端縁にセンターフォールド部を合わせた状態で停止した通帳を背押しする手段と、上記検知手段の検出結果に基づいて、上記搬送手段と背押し手段とを制御する手段とを備えたものである。
ところで、このような機構のものである場合、主な構成として、開いた通帳をその両面から挟持するようにガイドする手段、通帳を挟持圧送する手段、その挟持圧送手段により搬送される通帳の通過を検知する手段、通帳を背押しする手段、搬送手段と背押し手段とを制御する手段を要していることから、構造的にも大掛かりで設備負担が大きい。
【特許文献１】特開平３−７３９７号公報
【考案の開示】
【考案が解決しようとする課題】
【０００３】
解決しようとする課題は、折り目とり及び折り目つけの双方が可能であると共に取り扱いが容易で、しかも小型軽量であるハンドタイプの折り目とり兼折り目つけ具を提供することにある。
【課題を解決するための手段】
【０００４】
本考案では前記した課題を達成するため、以下の構成にしたことを特徴とする。
１．ハンド部を有するフレームに、進行方向の前方の凹状案内ロールと後方の凸状矯正ロールをそれぞれ回転可能に軸支し、前記凹状案内ロールは、回転軸線回りのロール面部中央に環状の案内凹部を有し、前記凸状矯正ロールは、回転軸線回りのロール面部中央に環状の矯正凸部を有し、この凹状案内ロールと凸状矯正ロールは、それぞれの回転軸線が進行方向と直交する前後平行状で、案内凹部と矯正凸部が進行方向の軌道上に一致していることを特徴とする。
【０００５】
本考案における凹状案内ロールと凸状矯正ロールの組み合わせは、１対１を基本とするが、たとえば、前後の凹状案内ロールと中間の凸状矯正ロールの組み合わせからなる２対１でも、前の凹状案内ロールと中間および後方の凸状矯正ロールの組み合わせからなる１対２であってもよい。
環状の案内凹部は、底部が断面略Ｖ状あるいはこれに類する形状でよい。環状の矯正凸部は、頂部が断面山形状でもよいし、断面平坦状あるいは断面湾曲状の略平坦状であってもよい。かかる案内凹部の底部と矯正凸部の頂部は進行方向の軌道上に一致し、折り目とり時には案内凹部が折り目を捉える一方で矯正凸部が折り目をとることになり、折り目つけ時には案内凹部が折り返し部を捉える一方で矯正凸部が折り返し部に折り目をつけることになる。
凹状案内ロールと凸状矯正ロールの材質は、ゴム製、合成樹脂製、金属製の何れであってもよい。また、案内凹部および／または矯正凸部を皮製、布製、ゴム製、軟質プラスチック製、その他の材質のものにするようにしてもよいし、そうしなくともよい。
【考案の効果】
【０００６】
Ａ．請求項１により、折り目とり及び折り目つけの双方が可能であると共に取り扱いが容易で、しかも小型軽量にできるからハンドタイプとして有用である。
ハンド部を持って押す力加減で折り目をとったり折り目をつけたりすることが手軽にできる。
したがって、たとえば新聞やチラシを読む際における折り目とりに有用であり、また、新聞やチラシを畳んで廃品回収等に出す際の折り目つけに有用である。
【考案を実施するための最良の形態】
【０００７】
図１〜図４には折り目とり兼折り目つけ具における実施の１形態を例示しており、枠状のフレーム１は、前辺部１ａおよび後辺部１ｂに立設した前立て部１ｅと後立て部１ｆの上端間にハンド部２を架設してある。
そして、フレーム１における左辺部１ｃと右辺部１ｄ間には、進行方向ａの前方の凹状案内ロール３と後方の凸状矯正ロール４を両ロールの回転軸線ｂが進行方向と直交する前後平行状で且つ案内凹部３ｂと矯正凸部４ｂが進行方向ａの軌道ｃ上に一致しているようにそれぞれ支軸５で回転可能に軸支してある。
【０００８】
凹状案内ロール３は硬質ゴム製のもので、回転軸線回りのロール面部３ａ中央に環状の案内凹部３ｂを設けてあり、この案内凹部３ｂは断面略Ｖ字状にすることで対象物のたとえば新聞６の折り目６ａが収まり易く形成してある。
凸状矯正ロール４は硬質ゴム製のもので、回転軸線回りのロール面部４ａ中央に環状の矯正凸部４ｂを設けてあり、この矯正凸部４ｂは頂部を断面略平坦状にすることで新聞６の折り目６ａをとり易く形成してある。また、矯正凸部４ｂは皮材を接着して数ミリの高さに突設してある。
【０００９】
次に、前記した図１の折り目とり兼折り目つけ具による使用の一例を説明する。
図３には、新聞６の折り目６ａをとる例を示しており、凹状案内ロール３が前に、凸状矯正ロール４が後になるようにハンド部２を握り持ち、折り目６ａ上に凹状案内ロール３および凸状矯正ロール４を案内凹部３ｂと矯正凸部４ｂが一致するようにあてがい、この折り目６ａに沿い進行方向ａに押さえつけながら押し動かす。
これにより、前側の案内凹部３ｂが折り目６ａを後方の矯正凸部４ｂに案内し、この矯正凸部４ｂが折り目６ａを上側から押圧して平坦状に整えることで、折り目６ａがとられることになる。
【００１０】
図４には、新聞６に折り目６ａをつける例を示しており、凹状案内ロール３が前に、凸状矯正ロール４が後になるようにハンド部２を握り持ち、折り返し部６ｂ上に凹状案内ロール３および凸状矯正ロール４を案内凹部３ｂと矯正凸部４ｂが一致するようにあてがい、この折り返し部６ｂに沿い進行方向ａに押さえつけながら押し動かす。
これにより、前側の案内凹部３ｂが折り返し部６ｂを後方の矯正凸部４ｂに案内し、この矯正凸部４ｂが折り返し部６ｂを上側から押圧して半折状に整えることで、折り目６ａがつけられることになる。
【図面の簡単な説明】
【００１１】
【図１】本考案の折り目とり兼折り目つけ具における実施の１形態を例示している側面図。
【図２】底面図。
【図３】折り目とり中を示す斜視図。
【図４】折り目つけ中を示す正面図で一部切欠している。
【符号の説明】
【００１２】
１  フレーム
１ａ  前辺部
１ｂ  後辺部
１ｃ  左辺部
１ｄ  右辺部
１ｅ  前立て部
１ｆ  後立て部
２  ハンド部
３  凹状案内ロール
３ａ  ロール面部
３ｂ  案内凹部
４  凸状矯正ロール
４ａ  ロール面部
４ｂ  矯正凸部
６  新聞
６ａ  折り目
６ｂ  折り返し部
ａ  進行方向
ｂ  回転軸線
ｃ  軌道
【図１】
0003115409.tif 000003
【図２】
0003115409.tif 000004
【図３】
0003115409.tif 000005
【図４】
0003115409.tif 000006